(57)【要約】【課題】段積み状態の安定化を図ることのできるパレットを提供する。【解決手段】パレット１は、柱部２、３の上端部間及び下端部間を連結する上デッキ部４、及び、下デッキ部５を備え、柱部２、３の上面と、上デッキ部４の上面とからなる載置面７、及び、柱部２、３の下面と、下デッキ部５の下面とからなる接地面８には、特定方向に沿って直線状に延びる矩形溝２１、２２が設けられる。矩形溝２１、２２は、載置面７と平行する方向において同じ位置に設けられ、載置面側矩形溝２１には滑り止めテープ２３が取着され、滑り止めテープの載置面７からの突出長は、接地面側矩形溝２２の深さよりも短い。載置面側矩形溝２１には、パレット１が同じ向きで段積みされる場合に、上下のパレット１の水平方向における相対変位を、下段のパレット１の滑り止めテープ２３と、上段のパレット１とを当接させて防止するための載置面側当接突部２４を備えている。【選択図】      図７
2020063079.tif 000002
【特許請求の範囲】
【請求項１】
複数の柱部と、
前記複数の柱部の上端部間を連結する上デッキ部と、
前記複数の柱部の下端部間を連結する下デッキ部とを備えるパレットにおいて、
前記柱部の上面と、前記上デッキ部の上面とにより、物品が載置される載置面が構成され、
前記柱部の下面と、前記下デッキ部の下面とにより、前記パレットが設置される設置面に接地する接地面が構成され、
前記載置面、及び、前記接地面には、特定方向に沿って直線状に延びる溝が設けられ、
前記載置面に設けられた前記溝、及び、前記接地面に設けられた前記溝は、前記載置面と平行する方向において互いに同じ位置に設けられ、
前記載置面に設けられた前記溝に取着された滑り止めテープを備え、
前記載置面の前記溝に取着された前記滑り止めテープは、前記載置面よりも上方に突出し、
前記滑り止めテープの前記載置面からの突出長は、前記接地面に設けられた前記溝の深さよりも短く構成され、
前記溝、及び、前記滑り止めテープのうち少なくとも一方は、パレット同士が同じ向きで積み重ねられる場合に、前記溝の延在方向における上下のパレットの相対変位を、下段のパレットの前記滑り止めテープと、上段のパレットとを当接させて防止するための滑り防止形状部を備えていることを特徴とするパレット。
【請求項２】
前記滑り防止形状部は、前記載置面に設けられた前記溝、又は、前記接地面に設けられた前記溝のうち少なくとも一方の底面から突出する突部により構成されていることを特徴とする請求項１に記載のパレット。
【請求項３】
前記滑り防止形状部は、前記載置面に設けられた前記溝の底面から突出し、前記滑り止めテープの一部を上方に位置させる載置面側当接突部を備え、
パレット同士が同じ向きで積み重ねられた場合に、下段のパレットの前記滑り止めテープのうち前記載置面側当接突部に取着された部位と、上段のパレットとが上下に当接することを特徴とする請求項１又は２に記載のパレット。
【請求項４】
前記載置面側当接突部は、前記載置面に設けられた前記溝に取着された前記滑り止めテープの長手方向中央部側に向けて下方傾斜して延び、前記溝の底面と連続する傾斜面を備えていることを特徴とする請求項３に記載のパレット。
【請求項５】
前記複数の柱部の上側部分と、前記上デッキ部とを備える上構成部と、
前記複数の柱部の下側部分と、前記下デッキ部とを備える下構成部とを備え、
前記上構成部の前記柱部の下端部と、前記下構成部の前記柱部の上端部とが溶着されることで構成され、
前記上構成部と、前記下構成部とが同形状、かつ、同じ大きさに構成され、
前記載置面、及び、前記接地面に設けられた前記溝は、前記載置面、及び、前記接地面の側辺部にまで延在していることを特徴とする請求項１乃至４のいずれかに記載のパレット。
【発明の詳細な説明】
【技術分野】
【０００１】
本発明は、物品の運搬等に使用されるパレットに関するものである。
【背景技術】
【０００２】
一般に、物品の運搬等に使用されるパレットは、複数の支柱部と、当該複数の支柱部の上端部間、及び、下端部間を連結する上デッキ部、及び、下デッキ部とを備え、支柱部間においてフォークリフトのフォークを差込み可能なフォーク差込み部を有している。また、パレットの上面、及び、下面には、相対する一対の側辺部のうち一方から他方にかけて直線状に延びる断面略矩形状をなす矩形溝が複数本設けられている。パレットの上面に設けられた矩形溝には、滑り止めテープが取着されており、滑り止めテープは、パレットの上面よりも上方に突出している。パレットの上面に荷物を載置した場合には、荷物の下面が滑り止めテープに当接し、荷物の水平方向への相対変位が防止されるようになっている（例えば、特許文献１等参照。）。
【先行技術文献】
【特許文献】
【０００３】
【特許文献１】特開２００８−５６３０３号公報
【発明の概要】
【発明が解決しようとする課題】
【０００４】
また、パレットを使用しないときには、パレット同士を積み上げて（段積みして）保管する。ところで、特許文献１のパレットの上面に設けられた複数の矩形溝、及び、下面に設けられた複数の矩形溝は、互いにパレットの上面（及び下面）と平行する方向において同じ位置に設けられている。このため、パレットを同じ向きで段積みすると、下段のパレットの上面側に取着された滑り止めテープが、上段のパレットの下面に設けられた矩形溝に収容される。しかしながら、パレットの上面に設けられた矩形溝に取着された滑り止めテープのパレット上面からの突出長が、パレットの下面に設けられた矩形溝の深さよりも短い場合には、下段のパレットの滑り止めテープと、上段のパレットとが上下に当接することはなく、矩形溝の延在方向において滑り止めテープによる滑り止めの作用効果が発揮されない。このため、矩形溝の延在方向に沿って、上下のパレットが位置ずれしてしまうことが懸念される。
【０００５】
その一方で、滑り止めテープのパレット上面からの突出長が、パレットの下面に設けられた矩形溝の深さよりも長い場合には、パレットを同じ向きで段積みしても、下段のパレットの滑り止めテープと、上段のパレットとが上下方向に当接することから、パレット同士の位置ずれを防止することができる。しかしながら、滑り止めテープのパレット上面からの突出長が比較的長く構成されたパレットに対して荷物を載せる場合、荷物に対して滑り止めテープとの圧痕が形成され易くなってしまうことが懸念される。尚、昨今では、運搬等に際して、物品の包装にも損傷等が生じないように要望される場合も多い。
【０００６】
本発明は、上記例示した問題点等を解決するためになされたものであって、その目的は、段積み状態の安定化を図ることのできるパレットを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．複数の柱部と、
前記複数の柱部の上端部間を連結する上デッキ部と、
前記複数の柱部の下端部間を連結する下デッキ部とを備えるパレットにおいて、
前記柱部の上面と、前記上デッキ部の上面とにより、物品が載置される載置面が構成され、
前記柱部の下面と、前記下デッキ部の下面とにより、前記パレットが設置される設置面に接地する接地面が構成され、
前記載置面、及び、前記接地面には、特定方向に沿って直線状に延びる溝が設けられ、
前記載置面に設けられた前記溝、及び、前記接地面に設けられた前記溝は、前記載置面と平行する方向において互いに同じ位置に設けられ、
前記載置面に設けられた前記溝に取着された滑り止めテープを備え、
前記載置面の前記溝に取着された前記滑り止めテープは、前記載置面よりも上方に突出し、
前記滑り止めテープの前記載置面からの突出長は、前記接地面に設けられた前記溝の深さよりも短く構成され、
前記溝、及び、前記滑り止めテープのうち少なくとも一方は、パレット同士が同じ向きで積み重ねられる場合に、前記溝の延在方向における上下のパレットの相対変位を、下段のパレットの前記滑り止めテープと、上段のパレットとを当接させて防止するための滑り防止形状部を備えていることを特徴とするパレット。
【０００９】
手段１によれば、パレット同士を同じ向きで積み重ねる（段積みする）場合に、下段のパレットの滑り止めテープが上段のパレットの接地面側矩形溝に挿入されることで、載置面側矩形溝に対して交差する方向における上下のパレットの位置ずれが防止される。さらに、滑り防止形状部が設けられることで、載置面側矩形溝の延在方向における上下のパレットの位置ずれを防止することができる。従って、パレットを同じ向きで段積みした状態において、上下のパレットが水平方向において位置ずれするといった事態を確実に防止することができる。
【００１０】
このため、パレットの段積みに際して、パレットを同じ向きで重ねていけばよく、例えば、下段のパレットの滑り止めテープが上段のパレットの接地面側矩形溝に挿入されないように、パレットの向きを１段ずつ変える等の作業を行わなくても済む。さらに、パレットを積み重ねていく際に、下方の既に段積みされているパレット同士が位置ずれすることも防止される。これにより、比較的容易、かつ、スピーディーに確実な段積み作業を行うことができる。加えて、パレットの段積み状態の安定化が図られることから、段積みされたパレットを比較的安定して運搬・保管等することができる。
【００１１】
また、載置面よりも上方に突出する滑り止めテープの突出長を、接地面の溝の深さよりも短く抑えることにより、パレットに載置された荷物に対して滑り止めテープとの圧痕がはっきりと形成されてしまうといった事態を抑止することができる。従って、パレットを使用して荷物を運搬することで、荷物に滑り止めの痕が付いて意匠性の低下を招いてしまうといった事態を防止することができる。
【００１２】
尚、例えば、滑り防止形状部がなくても、パレットを水平に９０度回転させた向きで積み重ねる場合には、下段のパレットの滑り止めテープにより上段のパレットの位置ずれを防止することができる。しかしながら、作業ミスによって、パレットを同じ向きで積み重ねてしまった場合には、段積みされたパレットの倒壊のおそれがある。また、フォーク差込み部に対してフォークをパレットの２側方からのみ差し込み可能なパレットに関しては、パレットの向きを１段ずつ変えて段積みすることが非常に手間であり、パレットが大型でフォークリフト等を使用してパレットを段積みする場合には、非常に困難（周辺状況によっては不可能）な作業となる。
【００１３】
この点、本手段によれば、パレットを同じ向きで段積みしても、異なる向きで段積みしても、上下のパレットの水平方向における相対変位が防止される。つまり、例えば、パレットを水平に９０度回転させた向きで積み重ねたとしても、下段のパレットの滑り止めテープが、上段のパレットの接地面に当接し、位置ずれが防止される。このため、作業ミス等によってパレットを積み重ねる向きを間違えたとしても、上下のパレットが位置ずれして段積みされたパレットが倒壊するといった事態を回避することができる。
【００１４】
手段２．前記滑り防止形状部は、前記載置面に設けられた前記溝、又は、前記接地面に設けられた前記溝のうち少なくとも一方の底面から突出する突部により構成されていることを特徴とする手段１に記載のパレット。
【００１５】
手段２によれば、比較的簡単な構成により、段積みされた上下のパレットの位置ずれを防止することができる。特に、滑り止めテープの特殊な加工、或いは、特殊な取着作業が不要なことから、滑り止めテープの生産性の向上、コストの抑制、取付作業性の向上等を図ることができる。
【００１６】
尚、「前記滑り防止形状部は、前記接地面に設けられた前記溝の底面から突出する接地面側ストッパ突部を備え、パレット同士が同じ向きで積み重ねられた場合に、下段のパレットの前記滑り止めテープの端部と、上段のパレットの前記接地面側ストッパ突部とが、前記溝の延在方向において対向して近接配置されること」としてもよい。この場合、パレットの段積み状態において、上下のパレットが溝の延在方向において相対変位しそうになった場合には、下段のパレットの滑り止めテープの端部と、上段のパレットの接地面側ストッパ突部とが当接して、かかる相対変位が規制されることとなる。
【００１７】
さらに、「前記載置面に設けられた前記溝に対しても、前記載置面と平行する方向において、前記接地面側ストッパ突部と同じ位置に載置面側ストッパ対応突部が設けられていること」としてもよい。この場合、滑り止めテープを取着する位置（範囲）を把握し易くなり、作業性の向上等を図ることができる。
【００１８】
手段３．前記滑り防止形状部は、前記載置面に設けられた前記溝の底面から突出し、前記滑り止めテープの一部を上方に位置させる載置面側当接突部を備え、
パレット同士が同じ向きで積み重ねられた場合に、下段のパレットの前記滑り止めテープのうち前記載置面側当接突部に取着された部位と、上段のパレットとが上下に当接することを特徴とする手段１又は２に記載のパレット。
【００１９】
手段３によれば、パレットを同じ向きで段積みした状態において、下段のパレットの滑り止めテープと、上段のパレットとを上下に当接させることができる。従って、パレットの段積み状態において、下段のパレットの滑り止めテープによる上段のパレットの滑り止めの作用効果を発揮させることができ、上下のパレットの水平方向における位置ずれを確実に防止することができる。
【００２０】
尚、「前記接地面に設けられた前記溝に対しても、前記載置面と平行する方向において、前記載置面側当接突部と同じ位置に接地面側当接突部が設けられていること」としてもよい。この場合、載置面側当接突部の溝の底面からの突出長を極力短くしても（滑り止めテープのうち載置面側当接突部により持ち上げられた部位の載置面からの突出長を極力短くしても）、パレットの段積み状態において、下段のパレットの滑り止めテープのうち載置面側当接突部に取着された部位と、上段のパレットの接地面側当接突部とを当接させることができる。従って、滑り止めテープのうち載置面側当接突部に取着された部位の載置面からの突出長が長くなり過ぎて、パレットに荷物を載置する作業等に際して支障を来したり（荷物が引っ掛かる等したり）、パレットに載置された荷物に対し滑り止めテープのうち載置面側当接突部に取着された部位の圧痕がはっきりと付いてしまったりするといった事態を回避することができる。
【００２１】
手段４．前記載置面側当接突部は、前記載置面に設けられた前記溝に取着された前記滑り止めテープの長手方向中央部側に向けて下方傾斜して延び、前記溝の底面と連続する傾斜面を備えていることを特徴とする手段３に記載のパレット。
【００２２】
手段４によれば、載置面側当接突部に傾斜面が設けられることで、滑り止めテープを載置面側当接突部に取着し易くなり、作業性の向上を図ることができる。さらに、滑り止めテープを載置面側当接突部に対して好適に取着することができ、滑り止めテープが載置面側当接突部から剥がれる等の事態を抑止することができる。
【００２３】
尚、「前記接地面に設けられた前記溝に対しても、前記載置面と平行する方向において、前記載置面側当接突部と同じ位置に接地面側当接突部が設けられるとともに、前記接地面側当接突部においても、前記載置面側当接突部と同様にして傾斜面を備え、前記滑り止めテープの端部は、前記載置面側当接突部の前記傾斜面に取着されていること」としてもよい。この場合、パレットの段積み状態において、下段のパレットの滑り止めテープ（の端部）を、上段のパレットの接地面側当接突部の傾斜面に当接させることができる。この場合、下段のパレットの滑り止めテープと、上段のパレットの接地面側当接突部とを上下に当接させるだけでなく、溝の延在方向においても当接させることができ、上下のパレットが溝の延在方向において相対変位するといった事態をより確実に防止することができる。
【００２４】
手段５．前記複数の柱部の上側部分と、前記上デッキ部とを備える上構成部と、
前記複数の柱部の下側部分と、前記下デッキ部とを備える下構成部とを備え、
前記上構成部の前記柱部の下端部と、前記下構成部の前記柱部の上端部とが溶着されることで構成され、
前記上構成部と、前記下構成部とが同形状、かつ、同じ大きさに構成され、
前記載置面、及び、前記接地面に設けられた前記溝は、前記載置面、及び、前記接地面の側辺部にまで延在していることを特徴とする手段１乃至４のいずれかに記載のパレット。
【００２５】
手段５によれば、上構成部と、下構成部とを別形状にする場合に比べ、パレットの生産性の向上、製造コストの抑制等を図ることができる。さらに、溝がパレットの側辺部にまで設けられていることから、溝（特に、上向きに配置されている溝）に水や埃を滞留させ難くすることができ、衛生面の向上、載置される物品に水や埃が付着することの抑制等を図ることができる。
【図面の簡単な説明】
【００２６】
【図１】パレットの上面側を示す斜視図である。
【図２】図１のＪ部を示す部分拡大斜視図である。
【図３】パレットの下面側を示す斜視図である。
【図４】図２に示すパレットから滑り止めテープを省略した状態を示す斜視図である。
【図５】図４のＡ−Ａ線断面図である。
【図６】パレットを同じ向きで段積みした状態を示す斜視図である。
【図７】同じ向きで段積みされたパレットを示す部分拡大断面図である。
【図８】図７のＫ部を示す部分拡大断面図である。
【図９】パレットが水平方向（載置面側矩形溝の延在方向）にずれて段積みされた状態を示す部分拡大断面図である。
【図１０】別の実施形態における載置面側矩形溝、及び、滑り止めテープを示す部分拡大斜視図である。
【図１１】別の実施形態における接地面側矩形溝を示す部分拡大斜視図である。
【図１２】別の実施形態における載置面側矩形溝、及び、滑り止めテープを示す部分拡大斜視図である。
【図１３】別の実施形態における接地面側矩形溝を示す部分拡大斜視図である。
【図１４】別の実施形態におけるパレットを同じ向きで段積みした状態を示す部分拡大断面図である。
【図１５】別の実施形態における載置面側矩形溝、及び、滑り止めテープを示す部分拡大斜視図である。
【図１６】別の実施形態における接地面側矩形溝を示す部分拡大斜視図である。
【図１７】別の実施形態における載置面側矩形溝、及び、滑り止めテープを示す部分拡大斜視図である。
【図１８】別の実施形態における接地面側矩形溝を示す部分拡大斜視図である。
【図１９】別の実施形態における載置面側矩形溝、及び、滑り止めテープを示す部分拡大斜視図である。
【図２０】別の実施形態における接地面側矩形溝を示す部分拡大斜視図である。
【図２１】別の実施形態におけるパレットを同じ向きで段積みした状態を示す部分拡大断面図である。
【発明を実施するための形態】
【００２７】
以下に、一実施形態について図面を参照して説明する。図１、図３に示すように、パレット１は、平面視略矩形状（本例では、略正方形状）をなしている。また、パレット１は、パレット１の相対する一対の側辺部にそれぞれ沿って設けられる一対の側柱部２と、パレット１の中央部を通るようにして、一対の側柱部２と平行して設けられる中央柱部３と、各側柱部２、及び、中央柱部３の上端部間を連結する上デッキ部４と、各側柱部２、及び、中央柱部３の下端部間を連結する下デッキ部５とを備えている。加えて、各側柱部２と中央柱部３との間には、フォークリフトのフォークを差込み可能なフォーク差込み部６が設けられている。本実施形態では、パレット１の外周面を構成する４つの側面のうち２つの側面からフォークを差込み可能な２方差しタイプのパレットとなっている。
【００２８】
また、本実施形態では、側柱部２、中央柱部３、及び、上デッキ部４の上面によって物品を載置可能な「載置面７」が構成されている。さらに、側柱部２、中央柱部３、及び、下デッキ部５の下面によって、パレット１が設置される床面等の設置面に接地する「接地面８」が構成されている。加えて、載置面７と、接地面８とは、互いに平行して延在している。
【００２９】
また、本実施形態のパレット１は、上構成部１１と、下構成部１２とを備えている。上構成部１１は、側柱部２、及び、中央柱部３の上側部分と、上デッキ部４とを備えている。下構成部１２は、側柱部２、及び、中央柱部３の下側部分と、下デッキ部５とを備えている。上構成部１１、及び、下構成部１２は、いずれもポリプロピレンにより一体的に形成されている。そして、上構成部１１の側柱部２、及び、中央柱部３の下端部と、下構成部１２の側柱部２、及び、中央柱部３の上端部とを熱溶着（又は、振動溶着）することによって上構成部１１と下構成部１２とが一体化され、これにより本実施形態のパレット１が構成されている。また、上構成部１１、及び、下構成部１２は、互いに同一形状で、同一の大きさに構成されており、本実施形態では、互いに同一の部材により構成されている。
【００３０】
本実施形態の上デッキ部４、及び、下デッキ部５は無孔状に構成されるとともに、上デッキ部４、及び、下デッキ部５の裏面側（上デッキ部４の下面側、及び、下デッキ部５の上面側）には、補強用のリブ１３が格子状に設けられている。また、側柱部２、及び、中央柱部３の上面、下面、及び、外周面は、基本的に無孔状となっている。
【００３１】
さて、本実施形態では、載置面７、及び、接地面８には、フォーク差込み部６へのフォークの差込み方向（側柱部２、及び、中央柱部３の長手幅方向）に対して直交する方向（特定方向）に沿って直線状に延びる断面略矩形状の載置面側矩形溝２１、及び、接地面側矩形溝２２が、それぞれ複数本設けられている。載置面側矩形溝２１、及び、接地面側矩形溝２２は、パレット１の相対する一対の側辺部の一方から他方にかけて延在している。また、載置面側矩形溝２１、及び、接地面側矩形溝２２は、側柱部２の長手幅方向において互いに所定距離を隔てて、それぞれ６本ずつ設けられている。
【００３２】
さらに、複数の載置面側矩形溝２１、及び、複数の接地面側矩形溝２２は、それぞれパレット１の平面視（下面視）中央部を中心として２回対称形状（パレット１の中心を通り、パレット１の側辺部に対して直交する仮想直線を中心として線対称形状）となるように配置されている。加えて、上記のように、上構成部１１、及び、下構成部１２は同形状（同じもの）であることから、複数の載置面側矩形溝２１、及び、複数の接地面側矩形溝２２は、載置面７（接地面８）と平行する方向において互いに同じ位置に設けられている。尚、上記のように、上デッキ部４、及び、下デッキ部５の裏面側には、補強用のリブ１３が設けられており、載置面側矩形溝２１や接地面側矩形溝２２が設けられた部位の裏面側にも、載置面側矩形溝２１及び接地面側矩形溝２２に沿って補強用のリブ１３が設けられている（図７参照）。
【００３３】
さらに、図１、図２に示すように、パレット１は、載置面側矩形溝２１に取着された滑り止めテープ２３を備えている。滑り止めテープ２３は、熱可塑性エラストマーにより構成され、本実施形態では、全ての載置面側矩形溝２１に対し滑り止めテープ２３が取着（接着又は溶着）されている。
【００３４】
また、図２、図７、図８等に示すように、滑り止めテープ２３の厚みは、載置面側矩形溝２１の深さよりも大きく、載置面側矩形溝２１に取着された滑り止めテープ２３は、載置面７よりも上方に突出している。さらに、滑り止めテープ２３の載置面７からの突出長は、接地面側矩形溝２２の深さよりも短く構成されている。つまり、図６に示すように、パレット１同士を同じ向きで積み重ねた場合（段積みした場合）には、図８に示すように、下段のパレット１の滑り止めテープ２３の載置面７からの突出部位が、上段のパレット１の接地面側矩形溝２２に収容されるものの、基本的には、下段のパレット１の滑り止めテープ２３と、上段のパレット１の接地面側矩形溝２２の底面とは、上下に当接しない構成（図８の滑り止めテープ２３の右側部分参照）となっている。尚、パレット１を同じ向きで段積みした状態では、下段のパレット１の滑り止めテープ２３が、上段のパレット１の接地面側矩形溝２２に挿入されることから、載置面側矩形溝２１の延在方向に対して交差する水平方向における上下のパレット１の位置ずれが防止される。
【００３５】
図４、図５、図７に示すように、載置面側矩形溝２１には、当該載置面側矩形溝２１の底面から上方に突出し、滑り止めテープ２３の一部を上方に位置させる滑り防止形状部としての載置面側当接突部２４が設けられている。本実施形態では、全ての載置面側矩形溝２１の両端部において、載置面側矩形溝２１の底面を一段高くしたような格好で載置面側当接突部２４が設けられている。尚、図５に示すように、載置面側当接突部２４は、載置面側矩形溝２１の内側に収まる範囲に設けられており、載置面側矩形溝２１は、パレット１（載置面７）の側辺部にまで達している。
【００３６】
また、図４、図５に示すように、各載置面側当接突部２４は、載置面側矩形溝２１の長手幅方向中央部側の部位において、載置面側矩形溝２１の長手幅方向中央部側に向けて下方に傾斜して延び、載置面側矩形溝２１の底面と連続する傾斜面２５を備えている。図１、図２、図７に示すように、滑り止めテープ２３は、各載置面側矩形溝２１の一対の載置面側当接突部２４の間に連続して延在するように取着されるとともに、一対の載置面側当接突部２４の各傾斜面２５にも取着されている。これにより、滑り止めテープ２３のうち載置面側当接突部２４（傾斜面２５）に取着された部位（両端部）が、その他の部位よりも上方に位置することとなる。尚、滑り止めテープ２３の端部は、傾斜面２５に取着されており、載置面側当接突部２４のうち傾斜面２５よりも載置面７の側辺部側の部位に対しては、滑り止めテープ２３は取着されていない。
【００３７】
さらに、上記のように、上構成部１１と、下構成部１２とが同形状であることから、図３、図７に示すように、接地面側矩形溝２２においても、載置面７（及び、接地面８）と平行な方向において載置面側当接突部２４と同じ位置に、接地面側矩形溝２２の底面から下方に突出する接地面側当接突部２６が設けられている。そして、図８に示すように、パレット１を同じ向きで段積みした場合には、下段のパレット１の滑り止めテープ２３のうち載置面側当接突部２４（傾斜面２５）に取着された部位と、上段のパレット１の接地面側当接突部２６とが上下に当接することとなる。特に、接地面側当接突部２６についても、載置面側当接突部２４と同様に傾斜面２７を備えており、パレット１の段積み状態では、下段のパレット１の滑り止めテープ２３のうち載置面側当接突部２４に取着された部位（端部）と、上段のパレット１の接地面側当接突部２６の傾斜面２７とが、上下に当接するだけでなく、載置面側矩形溝２１の延在方向においても当接することとなる。
【００３８】
また、図９に示すように、パレット１を段積みする際に、下段のパレット１に対して上段のパレット１が載置面側矩形溝２１の延在方向にずれて設置された場合においても、下段のパレット１の滑り止めテープ２３のうち載置面側当接突部２４に取着された部位と、上段のパレット１の接地面側矩形溝２２の底面とが上下に当接する（図示されない滑り止めテープ２３の反対側の端部周辺部においては、上段のパレット１の接地面側当接突部２６のうち傾斜面２７よりも接地面８の側辺部側の部位が、下段のパレット１の滑り止めテープ２３のうち載置面側当接突部２４に取着された部位に乗り上げている）。このため、載置面側矩形溝２１の延在方向において、上下のパレット１が意図せずに大きく位置ずれしてしまうといった事態が抑制される一方で、上段のパレット１を下段のパレット１に対して意図的に相対変位させ、「ずれ」を解消することが可能である。さらに、図８に示すように、「ずれ」が解消されることで、下段のパレット１の滑り止めテープ２３の両端部が、それぞれ上段のパレット１の一対の接地面側当接突部２６の傾斜面２７と当接することから、上下のパレット１が水平方向に相対変位するといった事態がほぼ生じないようになっている。
【００３９】
加えて、図１等に示すように、パレット１の外周面の各コーナー部には、パレット１と、パレット１に載置された物品とにかけてストレッチフィルムを巻いて物品を包装する際に、ストレッチフィルムが係止される係止部２８が設けられている。
【００４０】
以上詳述したように、本実施形態によれば、載置面７と平行な方向において、載置面側矩形溝２１と、接地面側矩形溝２２とが同じ位置にあり、載置面側矩形溝２１に取着された滑り止めテープ２３の載置面７からの突出長が、接地面側矩形溝２２の深さよりも短い構成であって、パレット１を同じ向きで段積みする場合であっても、下段のパレット１と、上段のパレット１との水平方向における位置ずれを防止することができる。つまり、パレット１を同じ向きで段積みした場合に、下段のパレット１の滑り止めテープ２３が上段のパレット１の接地面側矩形溝２２に挿入されることで、載置面側矩形溝２１に対して交差する方向における上下のパレット１の位置ずれが防止される。さらに、載置面側矩形溝２１の両端部において、載置面側矩形溝２１の底面から突出し、滑り止めテープ２３の両端部を上方に位置させる載置面側当接突部２４が設けられることで、パレット１を同じ向きで段積みした状態において、下段のパレット１の滑り止めテープ２３のうち載置面側当接突部２４に取着された部位と、上段のパレット１とを上下に当接させることができる。従って、パレット１の段積み状態において、滑り止めテープ２３による下段のパレット１と、上段のパレット１との間の滑り止めの作用効果を発揮させることができ、載置面側矩形溝２１の延在方向における上下のパレット１の位置ずれを防止することができる。従って、パレット１を同じ向きで段積みした状態において、上下のパレット１が水平方向において位置ずれするといった事態を確実に防止することができる。
【００４１】
このため、パレット１の段積みに際して、パレット１を同じ向きで重ねていけばよく、例えば、下段のパレット１の滑り止めテープ２３が上段のパレット１の接地面側矩形溝２２に挿入されないように、パレット１の向きを１段ずつ変える等の作業を行わなくても済む。さらに、パレット１を積み重ねていく際に、下方の既に段積みされているパレット１同士が位置ずれすることも防止される。これにより、比較的容易、かつ、スピーディーに確実な段積み作業を行うことができる。特に、本実施形態のパレット１は２方差しのパレットであり、パレット１の向きを９０度変えながら段積みする等の作業が非常に手間である（パレット１が比較的大型であってフォークリフト等でパレット１を段積みする場合には、非常に困難な作業となり、周辺状況によっては不可能となる）ことから、かかる作用効果がより顕著に奏される。加えて、パレット１の段積み状態の安定化が図られることから、段積みされたパレット１を比較的安定して運搬・保管等することができる。
【００４２】
また、載置面７よりも上方に突出する滑り止めテープ２３の突出長を、接地面側矩形溝２２の深さよりも短く抑えることにより、パレット１に載置された荷物に対して滑り止めテープ２３との圧痕がはっきりと形成されてしまうといった事態を抑止することができる。従って、パレット１を使用して荷物を運搬することで、荷物に滑り止めの痕が付いて意匠性の低下を招いてしまうといった事態を防止することができる。
【００４３】
尚、例えば、パレット１を水平に９０度回転させた向きで積み重ねたとしても、下段のパレット１の滑り止めテープ２３が、上段のパレット１の接地面８に当接し、位置ずれが防止される。つまり、パレット１を同じ向きで段積みしても、異なる向きで段積みしても、上下のパレット１の水平方向における相対変位が防止されることから、作業ミスによってパレット１を積み重ねる向きを間違える等しても、上下のパレット１が位置ずれして段積みされたパレット１が倒壊するといった事態を回避することができる。
【００４４】
また、パレット１の載置面側矩形溝２１に載置面側当接突部２４を設けるといったように、比較的簡単な構成により、段積みされた上下のパレット１の位置ずれを防止することができる。特に、滑り止めテープ２３の特殊な加工、或いは、特殊な取着作業が不要なことから、滑り止めテープ２３の生産性の向上、コストの抑制、取付作業性の向上等を図ることができる。
【００４５】
さらに、接地面側矩形溝２２に対しても、載置面７と平行する方向において、載置面側当接突部２４と同じ位置に接地面側当接突部２６が設けられている。このため、載置面側当接突部２４の載置面側矩形溝２１の底面からの突出長を極力短くしても（滑り止めテープ２３のうち載置面側当接突部２４により持ち上げられた部位の載置面７からの突出長を極力短くしても）、パレット１の段積み状態において、下段のパレット１の滑り止めテープ２３のうち載置面側当接突部２４に取着された部位と、上段のパレット１の接地面側当接突部２６とを当接させることができる。従って、滑り止めテープ２３のうち載置面側当接突部２４に取着された部位の載置面７からの突出長が長くなり過ぎて、パレット１に荷物を載置する作業等に際して支障を来したり（荷物が引っ掛かる等したり）、パレット１に載置された荷物に対し滑り止めテープ２３のうち載置面側当接突部２４に取着された部位の圧痕がはっきりと付いてしまったりするといった事態を回避することができる。
【００４６】
加えて、各載置面側矩形溝２１の両端部に設けられた一対の載置面側当接突部２４は、載置面側矩形溝２１の長手幅方向中央部側に向けて下方に傾斜して延び、載置面側矩形溝２１の底面と連続する傾斜面２５を備えている。このため、滑り止めテープ２３を載置面側当接突部２４に取着し易くなり、作業性の向上を図ることができる。さらに、滑り止めテープ２３を載置面側当接突部２４に対して好適に取着することができ、滑り止めテープ２３が載置面側当接突部２４から剥がれる等の事態を抑止することができる。
【００４７】
さらに、接地面側当接突部２６においても、載置面側当接突部２４と同様にして傾斜面２７を備えている上、滑り止めテープ２３の端部は、載置面側当接突部２４の傾斜面２５に取着されている。これにより、パレット１を同じ向きで段積みした状態において、下段のパレット１の滑り止めテープ２３（の端部）を、上段のパレット１の接地面側当接突部２６の傾斜面２７に当接させることができる。このため、下段のパレット１の滑り止めテープ２３と、上段のパレット１の接地面側当接突部２６（傾斜面２７）とを上下に当接させるだけでなく、載置面側矩形溝２１の延在方向においても当接させることができ、上下のパレット１が載置面側矩形溝２１の延在方向において相対変位するといった事態をより確実に防止することができる。
【００４８】
また、上構成部１１と、下構成部１２とが同一部材であることから、例えば、上構成部と、下構成部とを別形状にする場合に比べ、パレット１の生産性の向上、製造コストの抑制等を図ることができる。さらに、載置面側矩形溝２１、及び、接地面側矩形溝２２がパレット１の側辺部にまで設けられていることから、矩形溝２１、２２（特に、上向きに配置されている矩形溝２１、２２）に水や埃を滞留させ難くすることができ、衛生面の向上、載置される物品に水や埃が付着することの抑制等を図ることができる。
【００４９】
加えて、上デッキ部４、及び、下デッキ部５の裏面側には、補強用のリブ１３が設けられており、上デッキ部４、及び、下デッキ部５の表面において矩形溝２１、２２が設けられている部位の裏面側にも補強用のリブ１３が延在している。このため、矩形溝２１、２２の変形等を抑止することができる。さらに、当該矩形溝２１、２２に沿って延びる補強用のリブ１３に対して交差して連結される補強用のリブ１３も設けられていることから、矩形溝２１、２２の変形等を抑止する作用効果がより一層奏される。
【００５０】
尚、上記実施形態の記載内容に限定されず、例えば次のように実施してもよい。勿論、以下において例示しない他の応用例、変更例も当然可能である。
【００５１】
（ａ）上記実施形態では、パレット１を同じ向きで段積みした場合に、下段のパレット１の載置面側矩形溝２１に取着された滑り止めテープ２３（載置面側当接突部２４に取着された部位）と、上段のパレット１（接地面側矩形溝２２の接地面側当接突部２６の傾斜面２７）とが上下に当接するように構成されているが、パレット１を同じ向きで段積みした状態では、下段のパレット１の滑り止めテープ２３と、上段のパレット１とが上下に当接しないように構成してもよい。以下、態様例について説明する。また、上記実施形態のパレット１と同様の構成については、共通の部材番号を付すこととする。
【００５２】
例えば、図１３に示すパレット３１は、上記実施形態の各接地面側当接突部２６の傾斜面２７と同様の位置において、接地面側矩形溝２２の内側に収まる範囲内で、接地面側矩形溝２２の底面から下方に突出する滑り防止形状部としての突部（以下、「接地面側ストッパ突部３２」と称する）を備えている。本態様例では、接地面側矩形溝２２の内側に形成される相対する一対の内側面にそれぞれ連接して、一対の接地面側ストッパ突部３２が、接地面側矩形溝２２の長手方向に対して直交する水平方向（接地面側矩形溝２２の短手幅方向）において互いに対向し、かつ、互いに離間して設けられている。さらに、接地面側ストッパ突部３２のうち、接地面側矩形溝２２の長手幅方向中央部側の面は、接地面側矩形溝２２の底面に対して略垂直に延びている。加えて、接地面側ストッパ突部３２は、接地面側矩形溝２２の短手幅方向中央部側に向けて、接地面側矩形溝２２の底面からの突出長が次第に短くなるように構成されている。
【００５３】
その一方で、図１２に示すように、載置面側矩形溝２１に関しても、接地面側ストッパ突部３２と同じ位置に同じ形状の突部（以下、「載置面側ストッパ対応突部３３」と称する）が設けられている。さらに、滑り止めテープ２３は、載置面側ストッパ対応突部３３に差し掛からないように、載置面側ストッパ対応突部３３の近傍にまで延在するようにして取着されている。尚、本態様例においても、上構成部１１、及び、下構成部１２は、同一形状で同じ大きさに構成されている。
【００５４】
以上の構成を採用する場合、図１４に示すように、パレット３１が同じ向きで段積みされた場合には、下段のパレット３１の滑り止めテープ２３の端部と、上段のパレット３１の接地面側ストッパ突部３２とが、載置面側矩形溝２１の延在方向において対向して近接配置される。このため、パレット３１の段積み状態において、上下のパレット３１が載置面側矩形溝２１の延在方向において相対変位しそうになった場合には、下段のパレット３１の滑り止めテープ２３の端部と、上段のパレット３１の接地面側ストッパ突部３２とが当接して、かかる相対変位が規制されることとなる。さらに、載置面側矩形溝２１に対しても、載置面７と平行する方向において接地面側ストッパ突部３２と同じ位置に載置面側ストッパ対応突部３３が設けられていることから、滑り止めテープ２３を取着する位置（範囲）を把握し易くなり、作業性の向上等を図ることができる。
【００５５】
尚、接地面側ストッパ突部３２、及び、載置面側ストッパ対応突部３３の形状等についても特に限定されるものではなく、パレット３１を同じ向きで段積みした状態で、載置面側矩形溝２１の延在方向において滑り止めテープ２３と対向する範囲に、接地面側ストッパ突部３２が配置されていればよい。例えば、接地面側ストッパ突部３２、及び、載置面側ストッパ対応突部３３に関し、図１５、図１６に示すように、上記実施形態（主たる実施形態）の接地面側当接突部２６、及び、載置面側当接突部２４を、接地面側矩形溝２２、及び、載置面側矩形溝２１の短手幅方向中央部を避けて設けたような構成とし、滑り止めテープ２３を載置面側ストッパ対応突部３３に差し掛からないように載置面側ストッパ対応突部３３の近傍にまで延在させるようにして取着することとしてもよい。この場合にも、パレット３１の段積み状態において、上下のパレット３１が載置面側矩形溝２１の延在方向において相対変位しそうになった場合には、下段のパレット３１の滑り止めテープ２３の端部と、上段のパレット３１の接地面側ストッパ突部３２（傾斜面）とが当接して、かかる相対変位が規制されることとなる。また、接地面側矩形溝２２、及び、載置面側矩形溝２１の底面が、接地面側ストッパ突部３２、及び、載置面側ストッパ対応突部３３の横幅方向中央部を貫通して、パレット３１の側辺部にまで延在していることから、接地面側矩形溝２２、及び、載置面側矩形溝２１に水等を滞留させ難くすることができる。
【００５６】
さらに、例えば、図１７、図１８に示すように、図１５、図１６の接地面側ストッパ突部３２、及び、載置面側ストッパ対応突部３３のうち、接地面側矩形溝２２、及び、載置面側矩形溝２１の短手幅方向中央部側の部位を傾斜させたり、湾曲させたりするような構成としてもよい。この場合には、接地面側矩形溝２２、及び、載置面側矩形溝２１に水等を滞留させ難くするといった作用効果がより一層奏される。
【００５７】
加えて、例えば、図１９〜図２１に示すように、円錐台形状の接地面側ストッパ突部３２、及び、載置面側ストッパ対応突部３３を設け、滑り止めテープ２３を載置面側ストッパ対応突部３３に差し掛からないように載置面側ストッパ対応突部３３の近傍にまで延在させるようにして取着することとしてもよい。
【００５８】
（ｂ）また、載置面側矩形溝２１、及び、接地面側矩形溝２２を、図１０、図１１に示すように構成してもよい。すなわち、パレット４１の載置面側矩形溝２１、及び、接地面側矩形溝２２は、載置面側当接突部２４、及び、接地面側当接突部２６のうち、傾斜面２５及び傾斜面２７と、それに連接する部位とに対応する区間において、短手幅が、パレット４１の側辺部側に向けて次第に細くなるくびれ部４２を備えている。滑り止めテープ２３の端部は、載置面側当接突部２４の傾斜面２５（の上端部）に取着されている。当該構成を採用する場合にも、パレット４１の段積み状態において、上下のパレット４１が載置面側矩形溝２１の延在方向において相対変位しそうになった場合には、下段のパレット４１の滑り止めテープ２３の端部と、上段のパレット４１のくびれ部４２の内側面とが当接して、かかる相対変位が規制されることとなる。
【００５９】
尚、くびれ部４２は、載置面側矩形溝２１、及び、接地面側矩形溝２２の内側面に隣接して、載置面側矩形溝２１、及び、接地面側矩形溝２２の底面から載置面側矩形溝２１、及び、接地面側矩形溝２２の深さと同じ長さを突出する接地面側ストッパ突部３２、及び、載置面側ストッパ対応突部３３（図１２、図１３等参照）に相当するものであり、載置面側当接突部２４、及び、接地面側当接突部２６と併用することで、段積みされた上下のパレット４１の載置面側矩形溝２１の長手方向における位置ずれを防止するといった作用効果がより確実に奏される。
【００６０】
（ｃ）上記実施形態では、複数の載置面側矩形溝２１、及び、複数の接地面側矩形溝２２の全てに載置面側当接突部２４、及び、接地面側当接突部２６が設けられているが、載置面側当接突部２４、及び、接地面側当接突部２６が設けられていない載置面側矩形溝２１、及び、接地面側矩形溝２２が存在してもよい。さらに、上記実施形態では、載置面側当接突部２４、及び、接地面側当接突部２６が、１つの載置面側矩形溝２１、及び、接地面側矩形溝２２につき一対で設けられているが、例えば、パレット１の相対する一対の側辺部のうち、一側辺部側にのみ載置面側当接突部２４が設けられた載置面側矩形溝と、他側辺部側にのみ載置面側当接突部２４が設けられた載置面側矩形溝とが交互に並んで設けられていることとしてもよい。加えて、載置面側矩形溝２１、及び、接地面側矩形溝２２の数についても特に限定されるものではなく、例えば、載置面７の中央部を通り、載置面７の相対する一対の側辺部に直交するようにして比較的幅広の載置面側矩形溝を１つ設けることとしてもよい。この場合、比較的幅広の載置面側矩形溝に対し、幅広の滑り止めテープを取着したり、滑り止めテープを複数本取着したりすることとしてもよいし、載置面側当接突部２４を比較的幅広に設けたり、載置面側当接突部２４を複数並べて設けたりすることとしてもよい。
【００６１】
但し、載置面側当接突部２４等の滑り防止形状部を設けることにより、パレット１を同じ向きで段積みした状態において、載置面側矩形溝２１の延在方向における一方側、及び、他方側の両方向への位置ずれを防止することとする。さらに、載置面側当接突部２４や滑り止めテープ２３の１つ当たりの負担を軽減したり、段積みされた上下のパレット１の位置ずれをバランス良く、又は、万遍なく規制したりするべく、載置面側当接突部２４が設けられる載置面側矩形溝２１を複数（線対称位置に）設けることが望ましい。
【００６２】
また、載置面側矩形溝２１において載置面側当接突部２４が設けられる位置についても特に限定されるものではないが、滑り止めテープ２３の長手幅を極力長く確保するべく、載置面側当接突部２４は、極力、載置面７の側辺部に寄せて設けることが望ましい。尚、載置面側当接突部２４の傾斜面２５、及び、接地面側当接突部２６の傾斜面２７を省略することも可能であるが、滑り止めテープ２３が取着される載置面側矩形溝２１の底面と連続させるようにして載置面側当接突部２４に傾斜面２５を設けることで、滑り止めテープ２３の取着作業性の向上、取着状態の安定化等が図られる。さらに、接地面側当接突部２６にも傾斜面２７を設け、かつ、滑り止めテープ２３の端部が載置面側当接突部２４の傾斜面２５に取着される（位置させる）ことで、パレット１の段積み状態において、下段のパレット１の滑り止めテープ２３の端部と、上段のパレット１の接地面側当接突部２６の傾斜面２７とを上下方向に当接させるだけでなく、載置面側矩形溝２１の延在方向にも当接させることができ、パレット１の段積み状態の安定化等が図られる。
【００６３】
（ｄ）上記実施形態では、載置面側矩形溝２１、及び、接地面側矩形溝２２に対し、突部（載置面側当接突部２４、及び、接地面側当接突部２６）を設けることで、パレット１を同じ向きで段積みした場合に、下段のパレット１の滑り止めテープ２３と、上段のパレット１とを上下に当接させ、段積みされた上下のパレット１の載置面側矩形溝２１の延在方向における相対変位を防止するように構成されているが、かかる構成に代えて、又は、加えて、載置面側矩形溝２１に取着される滑り止めテープ２３の端部の厚みを大きくして、或いは、端部を折り曲げて２重にして、その分、滑り止めテープ２３の端部（滑り止め形状部）の載置面７からの突出長が比較的大きくなるように構成してもよい。当該構成を採用する場合にも、パレット１を同じ向きで段積みした場合に、下段のパレット１の滑り止めテープ２３（端部）と、上段のパレット１（接地面側矩形溝２２の底面）とを上下に当接させることが可能となる。
【００６４】
（ｅ）載置面側矩形溝２１に対する滑り止めテープ２３の取着の範囲は特に限定されるものではなく、例えば、滑り止めテープ２３をパレット１の側辺部、又は、その近傍部位にまで取着することとしてもよいし、載置面側矩形溝２１の長手幅方向中央部を中心として非対称となるように滑り止めテープ２３を取着してもよい。尚、例えば、上記した図１２、図１９の載置面側ストッパ対応突部３３を跨ぐようにして取着する場合には、パレット１を同じ向きで段積み状態とすることで、下段のパレット１の滑り止めテープ２３のうち載置面側ストッパ対応突部３３に取着された部位と、上段のパレット１の接地面側ストッパ突部３２とが上下に当接する。
【００６５】
さらに、接地面側矩形溝２２に対しても滑り止めテープ２３を取着することとしてもよいが、パレット１を同じ向きで段積みした場合に、下段のパレット１の上面側の滑り止めテープ２３と、上段のパレット１の下面側の滑り止めテープ２３とが密着してしまい、上段のパレット１を持ち上げることで下段のパレット１も持ち上がったり（下段のパレット１はすぐに落下してしまう）、滑り止めテープ２３がパレット１から剥がれ易くなったりしてしまう等のことが懸念されることから、パレット１の段積み状態において、滑り止めテープ２３同士が接触しないように構成されることが望ましい。加えて、上記実施形態のように、複数の載置面側矩形溝２１、及び、複数の接地面側矩形溝２２が、載置面７と平行する方向において互いに同じ位置にあり、かつ、載置面７、及び、接地面８のそれぞれにおいて複数の載置面側矩形溝２１、及び、複数の接地面側矩形溝２２が線対称に配置される構成において、例えば、載置面側矩形溝２１に対して１つ置きに滑り止めテープ２３を取着し、接地面側矩形溝２２に対して１つ置きに滑り止めテープ２３を取着することとしてもよい。この場合、例えば、載置面７と平行する方向において同じ位置にある載置面側矩形溝２１、及び、接地面側矩形溝２２に対して滑り止めテープ２３が取着されている場合には、パレット１を同じ向きから１８０度回転させた向きとして段積みすることで、上下のパレット１の滑り止めテープ２３同士の干渉を避けることができる。一方、載置面７と平行する方向において異なる位置にある載置面側矩形溝２１、及び、接地面側矩形溝２２に対して滑り止めテープ２３が取着されている場合には、パレット１を同じ向きとして段積みすることで、上下のパレット１の滑り止めテープ２３同士の干渉を避けることができる。尚、パレット１の向きを間違えて段積みしても、滑り止めテープ２３同士の干渉が避けられるように、例えば、６本の載置面側矩形溝２１のうち両端の載置面側矩形溝２１と、両端の載置面側矩形溝２１から１つ空けた載置面側矩形溝２１に滑り止めテープ２３を取着し、６本の接地面側矩形溝２２のうち両端の接地面側矩形溝２２の隣の接地面側矩形溝２２に滑り止めテープ２３を貼着することとしてもよい。
【００６６】
また、上記実施形態において、載置面側矩形溝２１、及び、接地面側矩形溝２２は必ずしもパレット１の側辺部にまで延在していなくてもよい。さらに、上記実施形態では、載置面側矩形溝２１、及び、接地面側矩形溝２２は、フォーク差込み部６へのフォークの差込み方向（側柱部２の長手幅方向）に対して直交する方向に延在しているが、フォークの差込み方向に沿って延在していてもよいし、フォークの差込み方向、及び、フォークの差込み方向に対して直交する方向のどちらにも交差する方向に延在していてもよい。加えて、載置面側矩形溝２１、及び、接地面側矩形溝２２の断面形状についても特に限定されるものではないが、載置面側矩形溝２１の底面が、滑り止めテープ２３の下面と対応した断面形状とされることが望ましい。尚、載置面側矩形溝２１、及び、接地面側矩形溝２２を、例えば、断面台形状、断面三角形状としてもよく、載置面側矩形溝２１、及び、接地面側矩形溝２２の底面を断面湾曲状にしてもよい。
【００６７】
また、上デッキ部４、及び、下デッキ部５の裏面側に設けられた補強用のリブ１３は、少なくとも、上デッキ部４、及び、下デッキ部５のうち反対面側（表面）に載置面側矩形溝２１、及び、接地面側矩形溝２２が設けられている部位に設けられていることとしてもよい。特に、載置面側当接突部２４、及び、接地面側当接突部２６の裏面側において補強用のリブ１３が交差して設けられていることとしてもよい。さらに、上記実施形態では特に言及していないが、側柱部２、及び、中央柱部３の内側においても、側柱部２、及び、中央柱部３の上面、及び、下面を構成する壁部から側柱部２、及び、中央柱部３の高さ方向中央部側に突出する補強用のリブを設けることとしてもよい。さらに、当該補強用のリブは、側柱部２、及び、中央柱部３の上面、及び、下面を構成する壁部のうち、反対面側に載置面側矩形溝２１、及び、接地面側矩形溝２２が形成されている部位に設けられていることとしてもよい。この場合、側柱部２、及び、中央柱部３においても、載置面側矩形溝２１、及び、接地面側矩形溝２２の変形等を抑止することができる。
【００６８】
（ｆ）上記実施形態では、パレット１はポリプロピレンにより構成されているが、ポリエチレン、ＰＥＴ、ポリアミド等その他の樹脂材料により構成されることとしてもよい。さらに、滑り止めテープ２３の材料や構成についても特に限定されるものではなく、例えば、押出成形されたゴムにより構成される滑り止めテープを両面テープで載置面側矩形溝２１に取着することとしてもよい。
【００６９】
また、上記実施形態では、一対の側柱部２と、中央柱部３とを備える２方差しタイプのパレットとなっているが、パレットの四隅に設けられる４本の隅柱と、パレットの側辺部に沿って並ぶ一対の隅柱の中間部位に設けられる中間柱と、パレットの中央部に設けられる中央柱とを備え、パレットの外周面を構成する４つの側面からフォークを差込み可能な４方差しタイプのパレットに適応することも可能である。さらに、上記実施形態では、上構成部１１と、下構成部１２とが、同一形状で、同一の大きさに構成されているが、上構成部１１と、下構成部１２とで、形状等が異なるよう構成してもよい。加えて、上構成部１１、及び、下構成部１２は、互いに同一形状で、同一の大きさであるが、着色が異なるように構成してもよい。また、上記実施形態では、上構成部１１と、下構成部１２とを溶着することでパレット１が構成されているが、パレット１の全体を一体的に（一度に）形成することとしてもよい。さらに、全体が一体的に形成されるパレットに関し、上デッキ部と、下デッキ部とが同じ形状としてもよいし、異なる形状としてもよい。但し、載置面側矩形溝２１、及び、接地面側矩形溝２２は、載置面７と平行する方向において同じ位置に設けられることとする。
【００７０】
また、上記実施形態では、パレット１が平面視略正方形状をなしているが、パレットの相対する一対の側辺部の長さが、当該一対の側辺部の両端部間の間に延びる一対の側辺部の長さよりも長いパレットに具体化することも可能である。さらに、上記実施形態では、上デッキ部４、及び、下デッキ部５が無孔状に構成されているが、上下に貫通する水抜き孔を設けることとしてもよい。加えて、上デッキ部４、及び、下デッキ部５に水抜き孔を行列状に設けることで、上デッキ部４、及び、下デッキ部５が格子状に構成される場合、上デッキ部４及び下デッキ部５の裏面側に設けられる補強用のリブ１３は、各水抜き孔を個別に囲むようにして格子状に設けられることとしてもよい。
【符号の説明】
【００７１】
１…パレット、２…側柱部、３…中央柱部、４…上デッキ部、５…下デッキ部、６…フォーク差込み部、７…載置面、８…接地面、１１…上構成部、１２…下構成部、２１…載置面側矩形溝、２２…接地面側矩形溝、２３…滑り止めテープ、２４…載置面側当接突部、２５…傾斜面、２６…接地面側当接突部、２７…傾斜面、３１…パレット、３２…接地面側ストッパ突部、３３…載置面側ストッパ対応突部。
【図１】
2020063079.tif 000003
【図２】
2020063079.tif 000004
【図３】
2020063079.tif 000005
【図４】
2020063079.tif 000006
【図５】
2020063079.tif 000007
【図６】
2020063079.tif 000008
【図７】
2020063079.tif 000009
【図８】
2020063079.tif 000010
【図９】
2020063079.tif 000011
【図１０】
2020063079.tif 000012
【図１１】
2020063079.tif 000013
【図１２】
2020063079.tif 000014
【図１３】
2020063079.tif 000015
【図１４】
2020063079.tif 000016
【図１５】
2020063079.tif 000017
【図１６】
2020063079.tif 000018
【図１７】
2020063079.tif 000019
【図１８】
2020063079.tif 000020
【図１９】
2020063079.tif 000021
【図２０】
2020063079.tif 000022
【図２１】
2020063079.tif 000023